【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
光源と、該光源から出射した光束を被照射面に導光する導光体とを備え、
前記導光体は、前記光源からの光束が入射する入射面と、該入射面からの光束を反射する楕円反射面と、該楕円反射面からの光束が出射する出射面とを有し、
前記光源は、前記楕円反射面の焦点のうち前記被照射面から遠い方の第１の焦点に対して、前記光源の発光面に垂直な成分を有する方向に離間して配置されていることを特徴とする照明装置。
【請求項２】
前記発光面は、前記入射面に隣接していることを特徴とする請求項１に記載の照明装置。
【請求項３】
前記楕円反射面の二つの焦点を通る軸をｚ軸、前記楕円反射面を含む回転楕円体と前記ｚ軸との交点を原点、前記ｚ軸及び前記発光面の垂線に平行な断面内における前記回転楕円体の前記原点での曲率半径をＲ、円錐定数をｋ、前記断面内における前記発光面の垂線と前記ｚ軸とのなす角度をθ、前記発光面に垂直な方向における前記光源と前記第１の焦点との距離をΔ、
【数１】
2017091838.tif 000001
とするとき、
０．１≦Δ／Δｍａｘ≦０．５
なる条件式を満足することを特徴とする請求項１又は２に記載の照明装置。
【請求項４】
前記楕円反射面の二つの焦点を通る軸をｚ軸、前記楕円反射面を含む回転楕円体と前記ｚ軸との交点を原点、前記ｚ軸及び前記発光面の垂線に平行な断面内における前記回転楕円体の前記原点での曲率半径をＲ、円錐定数をｋ、前記断面内における前記発光面の垂線と前記ｚ軸とのなす角度をθ、
【数２】
2017091838.tif 000002
とするとき、
【数３】
2017091838.tif 000003
なる条件式を満足することを特徴とする請求項１乃至３の何れか一項に記載の照明装置。
【請求項５】
前記楕円反射面の二つの焦点を通る軸をｚ軸、前記楕円反射面を含む回転楕円体と前記ｚ軸との交点を原点、前記ｚ軸及び前記発光面の垂線に平行な断面内における前記回転楕円体の前記原点での曲率半径をＲ、円錐定数をｋ、前記断面内における前記発光面の垂線と前記ｚ軸とのなす角度をθ、前記導光体の屈折率をｎ、
【数４】
2017091838.tif 000004
とするとき、
【数５】
2017091838.tif 000005
なる条件式を満足することを特徴とする請求項１乃至４の何れか一項に記載の照明装置。
【請求項６】
前記入射面は平面であることを特徴とする請求項１乃至５の何れか一項に記載の照明装置。
【請求項７】
前記出射面は平面であることを特徴とする請求項１乃至６の何れか一項に記載の照明装置。
【請求項８】
前記第１の焦点は、前記導光体の外部にあることを特徴とする請求項１乃至７の何れか一項に記載の照明装置。
【請求項９】
前記楕円反射面の第２の焦点は、前記被照射面上に位置することを特徴とする請求項１乃至８の何れか一項に記載の照明装置。
【請求項１０】
前記導光体が有する反射面は、前記楕円反射面のみであることを特徴とする請求項１乃至９の何れか一項に記載の照明装置。
【請求項１１】
前記楕円反射面には、反射膜が施されていることを特徴とする請求項１乃至１０の何れか一項に記載の照明装置。
【請求項１２】
請求項１乃至１１の何れか一項に記載の照明装置と、前記被照射面からの光を受光素子に導光する回折素子とを備えることを特徴とする分光測色装置。
【請求項１３】
請求項１２に記載の分光測色装置と、感光面上に形成される静電潜像をトナー像として現像する現像器と、現像された前記トナー像を被転写材に転写する転写器と、転写された前記トナー像を前記被転写材に定着させる定着器とを備えることを特徴とする画像形成装置。
【手続補正２】
【補正対象書類名】明細書
【補正対象項目名】発明の名称
【補正方法】変更
【補正の内容】
【発明の名称】照明装置、それを備える分光測色装置及び画像形成装置
【手続補正３】
【補正対象書類名】明細書
【補正対象項目名】０００１
【補正方法】変更
【補正の内容】
【０００１】
本発明は、照明装置、それを備える分光測色装置及び画像形成装置に関する。
【手続補正４】
【補正対象書類名】明細書
【補正対象項目名】０００５
【補正方法】変更
【補正の内容】
【０００５】
本発明では、配置誤差によって光源が非称呼配置になっても、被照射面上で検知される光量が急激に小さくはならない照明装置を提供することを目的とする。
【手続補正５】
【補正対象書類名】明細書
【補正対象項目名】０００６
【補正方法】変更
【補正の内容】
【０００６】
本発明に係る照明装置は、光源と、光源から出射した光束を被照射面に導光する導光体とを備え、導光体は、光源からの光束が入射する入射面と、入射面からの光束を反射する楕円反射面と、楕円反射面からの光束が出射する出射面とを有し、光源は、楕円反射面の焦点のうち被照射面から遠い方の第１の焦点に対して、光源の発光面に垂直な成分を有する方向に離間して配置されていることを特徴とする。
【手続補正６】
【補正対象書類名】明細書
【補正対象項目名】０００７
【補正方法】変更
【補正の内容】
【０００７】
本発明によれば、配置誤差によって光源が非称呼配置になっても、被照射面上で検知される光量が急激に小さくはならない照明装置を提供することができる。
【手続補正７】
【補正対象書類名】明細書
【補正対象項目名】０００９
【補正方法】変更
【補正の内容】
【０００９】
［第一実施形態］
以下、本実施形態に係る照明光学系を備えた照明装置について図面に基づいて説明する。なお、以下に示す図面は、本実施形態を容易に理解できるようにするために、実際とは異なる縮尺で描かれている場合がある。
【手続補正８】
【補正対象書類名】明細書
【補正対象項目名】００１７
【補正方法】変更
【補正の内容】
【００１７】
ここで、Ｒ及びｋはそれぞれ、ｚ軸及びＬＥＤ１００の発光面の垂線に平行な断面内における楕円反射面１１２の近軸曲率半径、及び円錐定数である。また、ｘ、ｙ、ｚ（ｘ軸、ｙ軸、ｚ軸）はそれぞれ、楕円反射面１１２について定義されるローカル座標（軸）である。すなわち、楕円反射面を定義する回転楕円体の２つの焦点を含む方向をｚ軸、回転楕円体のｚ軸との交点を原点として、ｚ軸に直交する互いに垂直な２方向をｘ軸、ｙ軸とするローカル座標系である。
【手続補正９】
【補正対象書類名】明細書
【補正対象項目名】００２１
【補正方法】変更
【補正の内容】
【００２１】
照明光学系２０では、楕円反射面２１２の一方の焦点（被照射面２２０から遠い方の第１の焦点）Ｐ1上に光源２００が配置されている。
被照射面２２０は、ＸＹ平面に平行であり、且つ、楕円反射面２１２の他方の焦点（被照射面２２０の近位にある焦点）Ｐ2を含むように配置されている。
【手続補正１０】
【補正対象書類名】明細書
【補正対象項目名】００２２
【補正方法】変更
【補正の内容】
【００２２】
図２（ａ）に示されるように、光源２００の出射面の法線方向はＸ方向に平行であり、光源２００から出射した、所定の広がり角を有する光束は、楕円反射面２１２によって反射され、被照射面２２０上の焦点（第２の焦点）Ｐ2の位置を照明する。
【手続補正１１】
【補正対象書類名】明細書
【補正対象項目名】００８２
【補正方法】変更
【補正の内容】
【００８２】
次に、楕円反射面５１２の長軸（ｚ軸）及び光源５００の発光面の垂線に平行な断面内において焦点Ｐ1から楕円反射面５１２の長軸に対して角度θ（０°≦θ≦１８０°）をなして出射した光束の、楕円反射面５１２との交点をＰａとする。
そのとき、焦点Ｐ1から交点Ｐａまでの距離をＬ１、交点Ｐａから焦点Ｐ2までの距離をＬ２とすると、楕円の性質から、以下の式（３）で表される関係が得られる。